(57)【要約】      （修正有）【課題】販売に係る主たる商品と、その商品と関連する商品又はサービス商品をサブポケットをメイン袋と同じ袋の内部に複数商品を収容できるサブポケット付きプラスチック袋を提供する。【解決手段】上部ヘッダー４下辺部において内側に設けた内側貼着部を設けた上部フラップ７を形成すると共に、上方に開口部を有するメイン袋２と、該メイン袋の内部に上方に開口するサブポケット３とを上部ヘッダー下部において融着支持せしめたサブポケット付きプラスチックフィルム袋１とした。【選択図】図１
0003155633.tif 000002
【実用新案登録請求の範囲】
【請求項１】
上部ヘッダー下部において上方に開口部を有するメイン袋と該メイン袋の内部に上方に開口するサブポケットとを  上部ヘッダー下部において融着支持せしめたことを特徴とするサブポケット付きプラスチックフィルム袋。
【請求項２】
上部ヘッダー下辺部において内側に設けた内側貼着部を設けた上部フラップを形成すると共に、上方に開口部を有するメイン袋と、該メイン袋の内部に上方に開口するサブポケットとを  上部ヘッダー下部において融着支持せしめたことを特徴とするサブポケット付きプラスチックフィルム袋。
【請求項３】
上部ヘッダー下辺部において内側に設けた内側貼着部を設けた上部フラップを形成すると共に、上方に開口部を有するメイン袋と該メイン袋の内部に上方に開口するサブポケットとを  上部ヘッダー下部において融着支持せしめ、前記メイン袋の下部にも開口部を有し、下部開口部の下縁に沿って形成された下部フラップの内側に設けた内側貼着部により下部フラップ閉封時にメイン袋の下部開口を閉封方向に下部開口部を閉封貼着するようにしたことを特徴とするサブポケット付きプラスチックフィルム袋。
【請求項４】
上部ヘッダー下辺部において内側に設けた内側貼着部を設けた上部フラップを形成すると共に、上方に開口部を有するメイン袋と該メイン袋の内部に上方に開口するサブポケットとを  上部ヘッダー下部において融着支持せしめ、前記メイン袋を上下二段に仕切る横シール部を形成し、且つ下段メイン袋の下部にも開口部を形成し、開口部下辺に形成された下部フラップの内側に設けた内側貼着部により下部フラップ閉封時にメイン袋の下部開口を閉封方向に下部開口部を閉封貼着するようにしたことを特徴とするとするサブポケット付きプラスチックフィルム袋。
【請求項５】
上部ヘッダー下辺部において内側に設けた内側貼着部を設けた上部フラップを形成すると共に、上方に開口部を有するメイン袋と該メイン袋の内部に上方に開口するサブポケットとを  上部ヘッダー下部において融着支持せしめ、前記メイン袋及びサブポケットの下部にそれぞれ底部ガゼットを形成したことを特徴とするサブポケット付きプラスチックフィルム袋。
【考案の詳細な説明】
【考案の詳細な説明】
【技術分野】
【０００１】この考案は、販売に係る主たる商品と、その商品と関連する商品又はサービス商品をサブポケットをメイン袋と同じ袋の内部に複数商品を個々に分離して収容できるサブポケット付きプラスチック袋に関する。
【技術の背景】
【０００２】従来、商品販売の上で、例えばステープラーと務歯、歯ブラシと歯磨き、カメラとフィルムのように、販売に係る主たる商品とそれに関連する商品とをセットにして販売することがよく行われる。又は、ある商品を販売するためにその商品に付随して客引き用のサービス商品をつけて一つの包装用袋に入れて販売することもある。こういった場合、従来、台紙の片面に、立体状の商品を収容し得る透明型枠で固定することにより展示販売されている。（例えば、特許文献１）更に、一個のヘッダーの下部に上下にプラスチックシートからなる独立した収納袋を中央部から分離可能に連続して形成したものも提供されている。（例えば、特許文献２）
【先行技術文献】
【０００３】
【特許文献１】特表２００４−５０１０３７
【特許文献２】実用新案登録第３１１６８０５
【考案の解決しようとする課題】
【０００４】特許文献１のようしに、複数の立体性のある商品を、台紙の片面に、立体状の商品を収容し得る透明型枠で固定することにより展示販売しようとすれば、透明型枠の製造コスト高になる上、展示した場合に傾斜状となることは避けられない。
特許文献２のように、複数の立体性商品を個々別袋に収納する場合、中に入れる商品がメイン商品とサブ商品は、当然のことながらその大きさに大小がある。特許文献２のように、同じ形態の袋に大小の異なる商品を格別に収納して販売するのは販売の上から美感に欠ける欠点がある、また２種類の商品を同じ一つの袋内に不統一に混在するのは販売の上でも見苦しい。
【０００５】販売に係る主たる商品の販売政策上、主たる商品をメイン袋内部に入れて、同時にその同じメイン袋内部に設けたサブポケットに主たる商品に関連性のある商品又はサービス商品を収容して販売することの出来るプラスチック袋は、従来製造上では、袋の構造の上から量産することは極めて困難であるとして、この種商品は全く存在しない。
【課題を解決するための手段】
【０００６】請求項１に係るサブポケット付きプラスチック袋は、上部ヘッダー下部において上方に開口部を有するメイン袋と該メイン袋の内部に上方に開口するサブポケットとを  上部ヘッダー下部において融着支持せしめるようにしてある。
【０００７】請求項２に係るサブポケット付きプラスチック袋は、上部ヘッダー下辺部において内側に設けた内側貼着部を設けた上部フラップを形成すると共に、上方に開口部を有するメイン袋と、該メイン袋の内部に上方に開口するサブポケットとを  上部ヘッダー下部において融着支持せしめるようにしてある。
【０００８】請求項３に係るサブポケット付きプラスチック袋は、上部ヘッダー下辺部において内側に設けた内側貼着部を設けた上部フラップを形成すると共に、上方に開口部を有するメイン袋と該メイン袋の内部に上方に開口するサブポケットとを  上部ヘッダー下部において融着支持せしめ、前記メイン袋の下部にも開口部を有し、下部開口部の下縁に沿って形成された下部フラップの内側に設けた内側貼着部により下部フラップ閉封時にメイン袋の下部開口を閉封方向に下部開口部を閉封貼着するようにしてある。
【０００９】請求項４に係るサブポケット付きプラスチック袋は、上部ヘッダー下辺部において内側に設けた内側貼着部を設けた上部フラップを形成すると共に、上方に開口部を有するメイン袋と該メイン袋の内部に上方に開口するサブポケットとを  上部ヘッダー下部において融着支持せしめ、前記メイン袋を上下二段に仕切る横シール部を形成し、且つ下段メイン袋の下部にも開口部を形成し、開口部下辺に形成された下部フラップの内側に設けた内側貼着部により下部フラップ閉封時にメイン袋の下部開口を閉封方向に下部開口部を閉封貼着するようにしてある。
【００１０】請求項５に係るサブポケット付きプラスチック袋は、上部ヘッダー下辺部において内側に設けた内側貼着部を設けた上部フラップを形成すると共に、上方に開口部を有するメイン袋と該メイン袋の内部に上方に開口するサブポケットとを  上部ヘッダー下部において融着支持せしめ、前記メイン袋及びサブポケットの下部にそれぞれ底部ガゼットを形成するようにしてある。
【考案の効果】
【００１１】上記ように構成してあるので、販売に係る主たる商品の販売政策上、主たる商品をメイン袋内部に入れて、同時にその同じメイン袋内部に設けたサブポケットにポケットに関連性のある商品又はサービス商品を収容して販売することの出来るプラスチック袋を量産可能にすると共に、本考案のサブポケット付きプラスチック袋にメイン商品及びサブ商品を収容して販売のために吊り下げ状態において前傾又は後傾することなくバランスよく吊り下げることができ、従って、本考案では、２種類の商品を同じ複内部に上下に収納されるので、展示上もそれだけ豪華になる。
このようなつり下げプラスチックフィルム袋を提供することによって、販売社側にも消費者の側にも便利なプラスチック袋を提供できることになる。
【考案を実施化するための形態】
【００１２】この考案は、上部ヘッダー下部において上方に開口部を有するメイン袋と該メイン袋の内部に上方に開口するサブポケットとを上部ヘッダー下部において融着支持せしめたサブポケット付きプラスチックフィルム袋としてある。なお、上部ヘッダーの中央部には吊り下げ孔１８を形成してある。
【実施例】
【００１３】この考案は図１〜図４において、主として透明のプラスチックフィルムにて形成さたプラスチックフィルム袋１はメイン袋２と、前記メイン袋２の内部にサブポケット３とからなっている。プラスチックフィルム袋１の内部を閉封するために、プラスチックフィルム袋１の上部には上部ヘッダー４が形成されると共に、この上部ヘッダー４の下縁融着部２１にて連結したメイン袋２の開口部５及びサブポケット３の開口部６を位置せしめてある。なお、メイン袋２の両側辺２０及びサブポケット３の両側熔断部２０で同時に熔断されているのでメイン袋２とびサブポケット３とが重なる位置では両者の両側辺にて一体的に形成されていることになる。【００１４】上部ヘッダー４の下辺に上部フラップ７付設し、該上部フラップ７の内側に設けた内側貼着部８が形成され、上部フラップ７の閉封時にメイン袋２の前面又は後面９の上方位置に貼着するようにしてある。上記の場合、メイン商品ａ上方より開口部５及びサブ商品ｂはサブポケット３の開口部６より商品の出し入れする必要がある。【００１５】図５において、更に、メイン袋２内部への商品を入れ易くするために、メイン袋２の上端部に開口部５の上縁に沿って形成された上部フラップ７の内側に設けた内側貼着部８を設けると共に、メイン袋２の下端に下方開口部１０を形成してある。この下部開口部１０の近辺に設けた下部フラップ１１の内側に設けた内側貼着部１２により下部フラップ閉封時にメイン袋の下部開口を閉封方向にメイン袋２の前面又は後面下部１３に貼着される。この場合、サブ商品ｂは、上方メイン袋２の開口部５広げて、サブポケット３の開口部６に出し入れし、メイン商品ａの出し入れは、は下方開口部１０を通じてメイン袋２を出し入れする。【００１６】更に、メイン袋の内部に二個のメイン商品ａをいれる場合は、図６に示した通りに、メイン袋２に横シール部１４を形成して上下に二段の上段メイン袋１５と下段メイン袋１６とすることによって、２個のメイン商品ａを各段に収納することができる。即ち、上段メイン袋１５へのメイン商品ａは、上方開口部より、下段メイン袋１６へのメイン商品ａの収容は、下段開口部より行う。
この下部開口部１０の近辺に設けた下部フラップ１１の内側に設けた内側貼着部１２により下部フラップ閉封時にメイン袋の下部開口を閉封方向にメイン袋２の前面又は後面９の下部１３に貼着される。但し、サブポケット３への商品の収容は上方開口部より行うものである。【００１７】図７に示すように、メイン袋２内部に大容積商品を収納可能とすべく、前記メイン袋２の底部ガゼット１７を形成するもともできるようにすると同時にサブポケット３にも底部ガゼット１７を形成する。更にメイン袋の前面又は後面のいずれかの面にメイン袋を構成したプラスチックシートを複合素材である複合シート１９を使用するようにすれば袋自体を強化することができる。この場合、メイン袋及びサブポケット３の内部に大容積商品のメイン商品ａ及びサブ商品ｂがそれぞれ収容されることになる。メイン袋自体の強化を図る意味でメイン袋の全体を複合シートすることも可能であるが、その分コスト高になる。
【産業上の利用可能性】
【００１８】消費者のニーズの多様化していることから、商品の展示販売方法においてもさまざまに工夫がなされている。この考案は、このような消費者のニーズの多様化に応えようとするもので、一つのプラスチックフィルム袋の内部に複数個の商品を同時に簡単に消費者から透視し得るように収容できるようにした商品つり下げプラスチックフィルム袋としたものである。一つのプラスチックフィルム袋は、展示販売時には、主たる商品を収容し、サブポケットにはサービス商品又は関連商品が収容されることになる。
場合によって、主たる商品を上方から収容する、下側より収容するか、更に、主たる商品を二個収容するか、かなりの大容量の商品をも収容することができるようにもできる等々、この考案の出現によって商品の展示販売方法は、ドラステックに代わる可能性があるもの確信している。また、展示上からも、図８に示すように、サブポケット及びメイン袋に商品を入れた状態で展示すれば、鉛直線状態で吊り下げることができるので美しく場所もとらずに効率的に展示することかてきる。
【図面の簡単な説明】
【００１９】
【図１】上部開口のメイン袋の内部にサブポケットを設けたプラスチック袋体の斜視図
【図２】メイン袋内部及びサブポケット内部に商品を入れた状態を示すプラスチック袋体の斜視図
【図３】メイン袋及びサブポケットの両側辺を熔断した状態を示す断面図
【図４】上部開口のメイン袋の内部にサブポケットを設けたプラスチック袋体の断面図
【図５】上部開口部及び下部開口部を設けたプラスチック袋体の断面図
【図６】メイン袋を二段上下に収容し得るようにしたプラスチック袋体の断面図
【図７】サブポケットとメイン袋の底部に底部ガゼットを設けたプラスチック袋体の断面図
【図８】サブポケット及びメイン袋に商品を入れた状態を示す側面図
【符号の説明】１  ・・・・・・・・・プラスチック袋
２  ・・・・・・・・・メイン袋
３  ・・・・・・・・・サブポケット
４  ・・・・・・・・・上部ヘッダー
５  ・・・・・・・・・メイン袋の開口部
６  ・・・・・・・・・サブポケットの開口部
７  ・・・・・・・・・上部フラップ
８  ・・・・・・・・・内側貼着部
９  ・・・・・・・・・メイン袋の前面又は後面
１０・・・・・・・・・下方開口部
１１・・・・・・・・・下部フラップ
１２・・・・・・・・・内側貼着部
１３・・・・・・・・・前面又は後面下部
１４・・・・・・・・・横シール
１５・・・・・・・・・上段メイン袋
１６・・・・・・・・・下段メイン袋
１７・・・・・・・・・底部ガゼット
１８・・・・・・・・・吊り下げ孔
１９・・・・・・・・・複合シート
２０・・・・・・・・・両側辺熔断部
２１・・・・・・・・・融着部
ａ  ・・・・・・・・・メイン商品
ｂ  ・・・・・・・・・サブ商品
【図１】
0003155633.tif 000003
【図２】
0003155633.tif 000004
【図３】
0003155633.tif 000005
【図４】
0003155633.tif 000006
【図５】
0003155633.tif 000007
【図６】
0003155633.tif 000008
【図７】
0003155633.tif 000009
【図８】
0003155633.tif 000010